(57)【要約】【課題】  最近よく再生されるコンテンツのコンテンツ情報を、ユーザが探しやすい態様で表示するコンテンツ情報表示装置を提供すること。【解決手段】  各アーティスト名について、各アーティスト名が付与された全曲データの直近１週間の再生回数の総和であるアーティストポイントが算出され、アーティストポイントの偏差値が算出される。アーティストポイントの偏差値に基づいて、アーティスト名の表示サイズが決定される。その結果、最近よく再生されるアーティスト名については表示サイズを大きくすることができるので、ユーザが複数のアーティスト名の中から最近よく再生されるアーティスト名を容易に探すことができるようになる。【選択図】図２Ｂ
2008250781.tif 000002
【特許請求の範囲】
【請求項１】
コンテンツ記録装置に記録されている複数のコンテンツに関するコンテンツ情報の一覧を表示するコンテンツ情報表示装置であって、
該コンテンツ情報の一覧を表示する表示手段と、
該コンテンツ記録装置に記録された各コンテンツの再生頻度を管理する管理手段と、
各コンテンツ情報について、該コンテンツ情報が付与された全コンテンツの再生頻度から、その偏差値を算出する偏差値算出手段と、
該偏差値算出手段によって算出された偏差値に基づいて、該コンテンツ情報の表示サイズを設定するサイズ設定手段と、
該サイズ設定手段によって設定されたサイズにコンテンツ情報のサイズを変更し、該サイズが変更されたコンテンツ情報を該表示手段に表示させる表示制御手段とを備える、コンテンツ情報表示装置。
【請求項２】
コンテンツ記録装置に記録されている複数のコンテンツに関するコンテンツ情報の一覧を表示するコンテンツ情報表示装置であって、
該コンテンツ情報の一覧を表示する表示手段と、
該コンテンツ記録装置に記録された各コンテンツの現在から所定期間前までの再生回数を管理する管理手段と、
各コンテンツ情報について、該コンテンツ情報が付与された全コンテンツの再生回数の総和であるコンテンツ情報ポイントを算出するポイント算出手段と、
該ポイント算出手段によって算出されたコンテンツ情報ポイントの偏差値を算出する偏差値算出手段と、
該偏差値算出手段によって算出された偏差値に基づいて、該コンテンツ情報の表示サイズを設定するサイズ設定手段と、
該サイズ設定手段によって設定されたサイズにコンテンツ情報のサイズを変更し、該サイズが変更されたコンテンツ情報を該表示手段に表示させる表示制御手段とを備える、コンテンツ情報表示装置。
【請求項３】
前記サイズ設定手段が、前記偏差値算出手段によって算出された偏差値が所定値より大きい場合に、コンテンツ情報のサイズを標準サイズより大きいサイズに設定し、該偏差値が所定値より小さい場合に、コンテンツ情報のサイズを該標準サイズよりも小さいサイズに設定する、請求項２に記載のコンテンツ情報表示装置。
【請求項４】
コンテンツ記録装置に記録されている複数のコンテンツに関するコンテンツ情報の一覧を表示するコンテンツ情報表示装置におけるコンテンツ情報表示プログラムであって、
該コンテンツ記録装置に記録された各コンテンツの現在から所定期間前までの再生回数を管理する管理ステップと、
各コンテンツ情報について、該コンテンツ情報が付与された全コンテンツの再生回数の総和であるコンテンツ情報ポイントを算出するポイント算出ステップと、
該ポイント算出ステップによって算出されたコンテンツ情報ポイントの偏差値を算出する偏差値算出ステップと、
該偏差値算出ステップによって算出された偏差値に基づいて、該コンテンツ情報の表示サイズを設定するサイズ設定ステップと、
該サイズ設定ステップによって設定されたサイズにコンテンツ情報のサイズを変更するサイズ変更ステップと、
該サイズ変更ステップによってサイズが変更されたコンテンツ情報を該コンテンツ情報表示装置に表示させる表示ステップとをコンピュータに実行させる、コンテンツ情報表示プログラム。
【発明の詳細な説明】
【技術分野】
【０００１】
本発明は、コンテンツ記録装置に記録されたコンテンツのコンテンツ情報の一覧を表示するコンテンツ情報表示装置に関する。
【背景技術】
【０００２】
ＨＤＤ（Hard Disk Drive）に記録されている複数のコンテンツ（例えば、曲データ等）の中から選択されたコンテンツを再生するオーディオ機器において、複数のコンテンツのコンテンツ情報（アーティスト名、アルバム名、曲名等）の一覧であるコンテンツリストを表示部に表示し、表示されているコンテンツリストの中からユーザ操作によって所望のコンテンツが選択され、選択されたコンテンツが再生される。最近ではＨＤＤの記憶容量が大きくなり、その結果、ＨＤＤに記録されているコンテンツの数が増加する傾向にあるので、ユーザは膨大な数のコンテンツ情報の中から所望のコンテンツを選択する必要があり、所望のコンテンツを選択する操作が非常に煩雑になっている。そこで、最近よく再生されるコンテンツのコンテンツ情報を、多数のコンテンツ情報の中から探し易い態様で表示するコンテンツ情報表示装置が求められている。
【０００３】
下記特許文献１は、アイコン毎に選択回数を記録し、メニューを表示する際には各アイコンを過去の選択回数に比例したサイズで表示する技術を記載する。しかし、特許文献１の方法では、選択回数が多いほど表示サイズが大きくなるが、そのサイズは選択回数が増えれば増えるほど大きくなるので、有限な範囲のコンテンツリスト表示画面に採用するには適切ではない。つまり、この表示方法をコンテンツリスト表示画面に採用した場合、例えば、１つの曲名の曲の再生回数のみが非常に多くなると、その曲名のサイズが極端に大きくなってしまい、その結果、他の曲名がコンテンツリスト内に表示されなくなり（又はユーザ操作によってコンテンツリスト画面をスクロールして表示する必要が生じ）、かえってコンテンツリスト画面から所望のコンテンツを探す作業が煩雑になってしまう。
【０００４】
【特許文献１】特開平２−１１４３１８号
【発明の開示】
【発明が解決しようとする課題】
【０００５】
本発明の目的は、最近よく再生されるコンテンツのコンテンツ情報を、ユーザが探しやすい態様で表示するコンテンツ情報表示装置を提供することである。
【課題を解決するための手段】
【０００６】
本発明の好ましい実施形態によるコンテンツ情報表示装置は、コンテンツ記録装置に記録されている複数のコンテンツに関するコンテンツ情報の一覧を表示するコンテンツ情報表示装置であり、該コンテンツ情報の一覧を表示する表示手段と、該コンテンツ記録装置に記録された各コンテンツの再生頻度を管理する管理手段と、各コンテンツ情報について、該コンテンツ情報が付与された全コンテンツの再生頻度から、その偏差値を算出する偏差値算出手段と、該偏差値算出手段によって算出された偏差値に基づいて、該コンテンツ情報の表示サイズを設定するサイズ設定手段と、該サイズ設定手段によって設定されたサイズにコンテンツ情報のサイズを変更し、該サイズが変更されたコンテンツ情報を該表示手段に表示させる表示制御手段とを備える。
【０００７】
本発明の別の好ましい実施形態によるコンテンツ情報表示装置は、コンテンツ記録装置に記録されている複数のコンテンツに関するコンテンツ情報の一覧を表示するコンテンツ情報表示装置であって、該コンテンツ情報の一覧を表示する表示手段と、該コンテンツ記録装置に記録された各コンテンツの現在から所定期間前までの再生回数を管理する管理手段と、各コンテンツ情報について、該コンテンツ情報が付与された全コンテンツの再生回数の総和であるコンテンツ情報ポイントを算出するポイント算出手段と、該ポイント算出手段によって算出されたコンテンツ情報ポイントの偏差値を算出する偏差値算出手段と、該偏差値算出手段によって算出された偏差値に基づいて、該コンテンツ情報の表示サイズを設定するサイズ設定手段と、該サイズ設定手段によって設定されたサイズにコンテンツ情報のサイズを変更し、該サイズが変更されたコンテンツ情報を該表示手段に表示させる表示制御手段とを備える。
【０００８】
好ましい実施形態においては、前記サイズ設定手段は、前記偏差値算出手段によって算出された偏差値が所定値より大きい場合に、コンテンツ情報のサイズを標準サイズより大きいサイズに設定し、該偏差値が所定値より小さい場合に、コンテンツ情報のサイズを該標準サイズよりも小さいサイズに設定する。
【発明の効果】
【０００９】
ポイント算出手段によって各コンテンツ情報（例えば、アーティスト名等）が付与された全コンテンツの直近の所定期間の再生回数の総和であるコンテンツ情報ポイント（例えば、アーティストポイント）が算出され、偏差値算出手段によってコンテンツ情報ポイントの偏差値が算出される。コンテンツ情報ポイントの偏差値に応じてコンテンツ情報の表示サイズが決定される。その結果、最近よく再生されるコンテンツ情報については表示サイズを大きくすることができるので、ユーザが複数のコンテンツ情報の中から最近よく再生されるコンテンツ情報を容易に探すことができるようになる。従来のように単純に回数に比例させてサイズを増加させた場合、再生回数の非常に多いコンテンツ情報は極端にサイズが大きくなってしまい、１画面に表示できるコンテンツ情報の数が非常に少なくなってしまうが、偏差値でサイズを決定することにより偏差値には上限があり、１つのコンテンツ情報のサイズのみが極端に大きくなることはないので、このような問題を解決できる。
【００１０】
また、偏差値が所定値よりも小さいコンテンツ情報（最近あまり再生されていないコンテンツ情報）については、そのサイズを標準サイズよりも小さくすることにより、最近よく再生されるコンテンツ情報をユーザはさらに容易に探すことができるようになる。また、最近あまり再生されていないコンテンツ情報のサイズを小さくすることで、１画面に表示できるコンテンツ情報の数の減少を抑制することができる。
【発明を実施するための最良の形態】
【００１１】
以下、本発明の好ましい実施形態について、図面を参照して具体的に説明するが、本発明はこれらの実施形態には限定されない。図１は、本発明の好ましい実施形態によるコンテンツ情報表示装置が適用されるコンテンツ再生装置１００の構成を示すブロック図である。コンテンツ再生装置１００は、ＨＤＤ（Hard Disk Drive）５に記録されている複数のコンテンツの中から選択されたコンテンツを再生部８において再生し、映像及び／又は音声等を出力するものである。ここで、コンテンツとは、映像データ、曲（音楽）データ、又は静止画データ等の総称であるが、本例では曲データの場合を例に説明する。
【００１２】
コンテンツ再生装置１００は、システム制御部２、ＲＡＭ３、ＲＯＭ４、ＨＤＤ５、操作部６、表示部７及び再生部８を備える。これらは、バスを介して互いに接続されている。
【００１３】
システム制御部２は、コンテンツ再生装置１００の全体を制御するものであり、ＲＯＭ４またはＨＤＤ５に格納されたプログラムをＲＡＭ３内に読み出して実行することにより、後述する各処理を実行する。
【００１４】
システム制御部２は、解析部２Ａおよび表示制御部２Ｂを含む。表示制御部２ＢはＨＤＤ５に記録されている複数のコンテンツのコンテンツ情報の一覧であるコンテンツリストを生成し、図２に示すようなコンテンツリスト画面を表示部７に表示させる。コンテンツ情報は、例えば、アーティスト名、アルバム名、曲名、ジャンル名等のメタデータや、再生頻度（例えば、所定期間の再生回数）、再生時間（曲の長さ）、リリース年等含む。
【００１５】
図２Ａに示すとおり、コンテンツリスト画面は、例えば、アーティスト名を表示する領域（以下、アーティスト名表示領域という）１１と、アルバム名を表示する領域（以下、アルバム名表示領域という）１２と、曲名を表示する領域（以下、曲名表示領域という）１３とを含む。アーティスト名表示領域１１及びアルバム名領域１２はコンテンツリスト画面の上半分に左右に分割して設けられ、曲名表示領域１３はコンテンツリスト画面の下半分に設けられている。アーティスト名表示領域１１及びアルバム名表示領域１２の高さUpper Browse Height、および、曲名表示領域１３の高さLower Browse Heightはユーザ操作によって設定可能である。
【００１６】
解析部２Ａは、コンテンツ情報の１つである再生頻度に関する情報（本例では、現在から所定期間前までの再生回数、以下単に再生回数という場合がある）の偏差値に基づいて、コンテンツリスト画面に含まれるアーティスト名、アルバム名、又は曲名のフォントのサイズを設定する。表示制御部２Ｂは、アーティスト名、アルバム名、又は曲名のフォントのサイズを、解析部２Ａによって設定されたフォントのサイズに変更したコンテンツリスト画面（図２Ｂ参照）を生成し、表示部７に表示させる。図２Ｂにおいては、再生回数の多いアーティスト１等のサイズは標準サイズよりも大きく設定され、再生回数が標準であるアーティスト４等のサイズは標準サイズに設定され、再生回数の少ないアーティスト６等のサイズは標準サイズよりも小さいサイズに設定されている。
【００１７】
ＨＤＤ５には複数のコンテンツ（本例では曲データ）が記録されている。ＨＤＤ５に記録されている曲データは、システム制御部２の指示によって読み出され、再生部８によって再生される。ＨＤＤ５には、コンテンツ情報データベース（以下、コンテンツ情報ＤＢという）と、ポイント算出テーブルと、サイズ算出テーブルと、サイズテーブルとが格納されている。
【００１８】
コンテンツ情報ＤＢは、ＨＤＤ５に記録されている全ての曲データに関するコンテンツ情報（曲情報）を管理するデータベースである。
【００１９】
図３は、ポイント算出テーブルを示す図である。ポイント算出テーブルは、アルバムポイントやアーティストポイントを算出するためのテーブルである。ポイント算出テーブルには、アーティスト名と、アルバム名と、曲名とに関連づけて、再生回数と、アルバムポイントと、アーティストポイントとが登録される。再生回数には、現在日時から所定期間前までの（例えば、直近１週間の）再生回数がカウントされている。期間を限定せずに曲データが記録されてからの再生回数を全てカウントしてもよいが、このように直近の所定期間分の再生回数のみをカントすれば、最近よく再生されるアーティスト名やアルバム名を大きく表示したり、最近あまり再生されないアーティスト名やアルバム名を小さく表示することができる。再生回数は、例えば、曲データが最後まで再生されたときに更新してもよく、曲データが再生開始されたときに更新されてもよい。
【００２０】
アルバムポイントは、そのアルバム名が付与された曲データの再生回数の総和であり、例えば、アルバム１Ａのアルバムポイントは曲１Ａ１〜曲１Ａ１４の再生回数の総和２０であり、アルバム１Ｂのアルバムポイントは曲１Ｂ１〜曲１Ｂ１１の再生回数の総和２２である。アーティストポイントは、そのアーティスト名が付与された曲データの再生回数の総和（つまり、そのアーティスト名が付与された全アルバムのアルバムポイントの総和）であり、例えば、アーティスト１のアーティストポイントは７４であり、アーティスト２のアーティストポイントは５０である。
【００２１】
図４はサイズ算出テーブルを示す図である。サイズ算出テーブルは、図２Ｂに示すコンテンツリスト画面に含まれるアーティスト名、アルバム名または曲名のフォントのサイズ（図４の例では、アーティスト名のサイズ）を算出するためのテーブルである。図４においては、アーティスト名に関連づけて、インデックスと、アーティストポイントと、偏差値と、フォントのサイズとが登録される。アーティスト名のフィールドには、表示対象のコンテンツリストに含まれるアーティスト名が全て登録される（ここでは、コンテンツ情報ＤＢに含まれる全アーティスト名であるアーティスト１〜アーティスト４０）。インデックスは、サイズ算出テーブルにおけるアーティスト名に付与された連続番号である。アーティストポイントには、図３のポイント算出テーブルで算出されたアーティストポイントが登録される。偏差値には、アーティストポイントに基づいて算出されるアーティスト名の偏差値が登録される。
【００２２】
ここで、偏差値の算出方法を説明する。下記式（１）に示すように、サイズ算出テーブルに登録された全アーティストのアーティストポイントの平均値である平均アーティストポイントaveが算出される。ここで、Max
Artist Indexは、サイズ算出テーブルに登録されたインデックスの最大値（ここでは、４０）である。
【数１】
2008250781.tif 000003
【００２３】
続いて、下記式２に示すように、標準偏差σがアーティストポイントと、平均アーティストポイントaveと、Max Artist
Indexとから算出される。
【数２】
2008250781.tif 000004
【００２４】
最後に、下記式（３）に示すように、アーティスト名の偏差値が、アーティストポイントと、平均アーティストポイントaveと、標準偏差σとに基づいて算出される。
【数３】
2008250781.tif 000005
【００２５】
サイズには、偏差値によって決定されるフォントのサイズが登録される。フォントのサイズは、図５に示すフォントテーブルに基づいて決定される。フォントテーブルには、偏差値の範囲に対応付けてフォントのサイズが予め登録されている。フォントのサイズは、偏差値が所定値（本例では５０）及びその近傍で標準サイズである１０に設定されている。また、フォントのサイズは、偏差値が所定値５０より大きくなるに従い大きくなり、偏差値が６９以上ではフォントのサイズは２４に固定される。また、フォントのサイズは、偏差値が所定値５０より小さくなるに従い小さくなり、偏差値が４０未満ではサイズが７に固定される。このようにフォントのサイズが設定されることにより、最近の再生回数が多いアーティスト名を標準サイズよりも大きいサイズで表示し、最近の再生回数が標準であるアーティスト名を標準サイズ近傍のサイズで表示し、最近の再生回数が少ないアーティスト名を標準サイズよりも小さいサイズで表示することができる。
【００２６】
図１に戻り、操作部６は、ユーザからの指示を受け付けてシステム制御部２に送信するものであり、操作ボタンやリモコン等である。例えば、操作部６には、コンテンツリスト画面を表示する指示がユーザ操作によって入力される。
【００２７】
表示部７は、ＬＣＤ（液晶ディスプレイ）等であり、表示制御部２Ｂの指示に基づいて、図２のコンテンツリスト画面を表示する。
【００２８】
以上の構成を有するコンテンツ再生装置１００において、最近の再生回数に基づくアーティスト名の偏差値に応じて、アーティスト名のフォントのサイズを変更して、コンテンツリスト画面を表示する処理を説明する。なお、本例では、アーティスト名のフォントのサイズのみを変更する処理を例に説明するが、アルバム名や曲名のフォントのサイズを変更する場合も同様である。
【００２９】
図６は、システム制御部２の処理を示すフローチャートである。システム制御部２は、ユーザ操作によってコンテンツリスト画面を表示する指示が入力されると、ポイント算出テーブル（図３）において、各アーティスト名に対応するアーティストポイントを算出する（Ｓ１）。すなわち、アーティスト名毎に、そのアーティスト名が付与された曲の再生回数の総和を算出し、アーティストポイントとしてポイント算出テーブルに登録する。続いて、システム制御部２は、サイズ算出テーブル（図４）において、コンテンツリストに含まれる全アーティスト名の偏差値を、Ｓ１で算出した各アーティストポイントに基づいて算出する（Ｓ２）。詳細には、サイズ算出テーブルのアーティスト名のフィールドにコンテンツリスト内の全アーティスト名（つまり、コンテンツ情報ＤＢに登録された全アーティスト名）と、Ｓ１で算出されたアーティストポイントとが登録される。続いて、上式（１）〜（３）に基づいて、アーティストポイント及びインデックスに基づいて各アーティスト名の偏差値が算出され、偏差値のフィールドに登録される。
【００３０】
次に、システム制御部２は、コンテンツリスト画面のアーティスト名表示領域に表示されるアーティスト名のフォントの高さ（縦幅）の合計であるTotal Heightを０に初期化する（Ｓ３）。また、システム制御部２は、コンテンツリスト画面のアーティスト名表示領域の高さ（縦幅）であるUpper Browse Heightを取得する（Ｓ４）。Upper Browse Heightは、ユーザ操作によって設定可能であり、その値がＲＡＭ３内に保存されている。
【００３１】
次に、システム制御部２は、サイズ算出テーブル（図４）において、インデックスが１であるアーティスト１のフォントのサイズを取得する（Ｓ５）。詳細には、図５のフォントテーブルを参照して、アーティスト１の偏差値に該当するフォントのサイズを取得する。アーティスト１の偏差値は７０であるので、フォントテーブルからアーティスト１のフォントのサイズは２４と決定される。さらに、システム制御部２は、Ｓ５で取得したフォントのサイズに対応するフォントの高さ（表示されるアーティスト名の縦幅）を取得する（Ｓ６）。図７はフォントのサイズに対応するフォントの高さを管理するテーブルであり、ＲＯＭ４又はＨＤＤ５に予め保存されている。アーティスト１の場合は、フォントのサイズが２４であるので、フォントの高さは２．４ｃｍに決定される。
【００３２】
続いて、システム制御部２は、Ｓ６で取得したフォントの高さをTotal Heightに加算する（Ｓ７）。現在のTotal
Heightは０であるので、アーティスト１の高さが加算されて、Total Heightは２．４ｃｍになる。その後、システム制御部２は、Total HeightがUpper Browse Heightより大きいか否かを判断する（Ｓ８）。つまり、コンテンツリスト画面のアーティスト名表示領域にこのアーティスト名を表示可能か否かが判断される。ここでは、Total HeightがUpper Browse Height（例えば、２０ｃｍ）より小さいので（Ｓ８でＮＯ）、アーティスト１をアーティスト表示領域１１に表示可能であると判断され、サイズ算出テーブルのアーティスト１のサイズのフィールドにフォントのサイズが登録される（Ｓ９）。次に、フォントのサイズを設定するアーティスト名を、サイズ算出テーブルにおける次のインデックスのアーティスト名（ここでは、インデックス２のアーティスト２）に移行して（Ｓ１０）、Ｓ５に戻り上記と同様の処理を実行し、アーティスト２のフォントのサイズを設定する。
【００３３】
Ｓ５〜Ｓ１０の処理を繰り返した結果、Ｓ８でTotal HeightがUpper Browse Heightより大きくなると（Ｓ８でＹＥＳ）、コンテンツリスト画面のアーティスト名表示領域にこのインデックスのアーティスト名を表示できないと判断され、システム制御部２は、サイズ算出テーブルにおけるアーティスト名のフォントのサイズの設定を終了する。従って、Ｓ８でＮＯと判断されたアーティスト名以降のアーティスト名（つまり、この時点でサイズ算出テーブルのサイズのフィールドに値が入力されていないアーティスト名）は、アーティスト名表示領域１１に表示されないアーティスト名である。
【００３４】
その後、システム制御部２は、サイズ算出テーブルのサイズのフィールドにサイズが登録されているアーティスト名について、そのフォントのサイズを変更しこれらのアーティスト名を含むコンテンツリスト画面を生成し、生成したコンテンツリスト画面を表示部７に表示させる（Ｓ１１）。その結果、表示部７は、図２Ｂに示すように、最近の再生回数によるアーティストポイントの偏差値に基づいて、アーティスト名のフォントのサイズが変更されたコンテンツリスト画面を表示することができる。
【００３５】
図２Ｂに示すように、偏差値が所定値（ここでは５０）よりも大きい（つまり、最近の再生回数が多い）アーティスト名（アーティスト１，アーティスト２等）は標準サイズ（１０）よりも大きいサイズに設定され、偏差値が所定値（５０）近傍の（つまり、最近の再生回数が標準である）アーティスト名（アーティスト４，アーティスト８等）は標準サイズ（１０）に設定され、偏差値が所定値（５０）よりも小さい（つまり、最近の再生回数が少ない）アーティスト名（アーティスト６，アーティスト１６等）は標準サイズ（１０）よりも小さいサイズに設定される。
【００３６】
その結果、最近よく再生されるアーティスト名は標準サイズよりも大きく表示されるので、ユーザは最近お気に入りのアーティスト名を直ぐにアーティスト名表示領域のリストの中から探し出すことができる。一方、最近あまり再生されていないアーティスト名は標準サイズよりも小さく表示されるので、アーティスト名表示領域に表示されるアーティスト名の数が、最近よく再生されるアーティスト名のサイズを大きくしたことによって減少してしまうという問題を解決できる。
【００３７】
なお、図２Ｂにおいて、アーティスト１〜アーティスト１９が表示されている状態で、スクロールバー１４のユーザ操作によって、アーティスト名表示領域１１を下方向にスクロールさせた場合には、アーティスト１が表示されなくなり、アーティスト２０以降のアーティスト名が表示されるようになる。この場合、アーティスト１の高さがTotal Heightから減算され、再びアーティスト１９以降についてＳ５〜Ｓ１０の処理を繰り返し、アーティスト名表示領域１１に表示すべきアーティスト名及びそのサイズを決定すればよい。アーティスト名表示領域を上方向にスクロールさせる場合も同様である。
【００３８】
以上、本発明の好ましい実施形態を説明したが、本発明はこれらの実施形態には限定されない。アーティスト名のフォントのサイズを変更する場合を例に説明したが、アルバム名、曲名、ジャンル名等のその他のコンテンツ情報のフォントのサイズを変更してもよい。例えば、アルバム名のサイズを変更する場合、サイズ算出テーブルには表示対象のアルバム名リスト内のアルバム名が全て登録される。例えば、アーティスト１のアルバム名を表示する場合、アーティスト１のアルバム名が全てサイズ算出テーブルに登録され、アーティスト名に関係なく全アルバム名を表示する場合、全アルバム名がサイズ算出テーブルに登録され、偏差値算出の対象になる。本例では、全アーティスト名をサイズ算出テーブルに登録して偏差値算出の対象としているが、図２Ａに表示されているアーティスト１〜アーティスト２２までを対象にしてもよい。この場合、表示をスクロールする毎に、偏差値及びサイズを算出し直すことになる。また、複数のコンテンツを記録するコンテンツ記録装置（サーバ）と、サーバからコンテンツを受信して再生するクライアント装置とからなるシステムにおいて、サーバに記録されたコンテンツのコンテンツ情報をクライアントで表示する場合にも適用できる。つまり、コンテンツ情報表示装置とコンテンツ記録装置とは別筐体でもよい。本発明は、上記のコンテンツ情報表示装置を動作させるためのコンピュータプログラムまたはそのコンピュータプラグラムを記録した記録媒体という形態で提供されてもよい。
【産業上の利用可能性】
【００３９】
本発明はＨＤＤレコーダ等に好適に適用され得る。
【図面の簡単な説明】
【００４０】
【図１】本発明の好ましい実施形態によるコンテンツ再生装置１００の構成を示すブロック図である。
【図２Ａ】コンテンツリスト表示画面を示す図である。
【図２Ｂ】アーティスト名のフォントのサイズが変更されたコンテンツリスト表示画面を示す図である。
【図３】ポイント算出テーブルを示す図である。
【図４】サイズ算出テーブルを示す図である。
【図５】サイズテーブルを示す図である。
【図６】システム制御部２の処理を示すフローチャートである。
【図７】フォントサイズとフォントの高さとの関係を示す図である。
【符号の説明】
【００４１】
１００      コンテンツ再生装置
２          システム制御部
２Ａ        解析部
２Ｂ        表示制御部
３          ＲＡＭ
４          ＲＯＭ
５          ＨＤＤ
６          操作部
７          表示部
８          再生部
【図１】
2008250781.tif 000006
【図２Ａ】
2008250781.tif 000007
【図２Ｂ】
2008250781.tif 000008
【図３】
2008250781.tif 000009
【図４】
2008250781.tif 000010
【図５】
2008250781.tif 000011
【図６】
2008250781.tif 000012
【図７】
2008250781.tif 000013